(57)【特許請求の範囲】
【請求項１】
側面視山形形状を呈しその内部に空所を有し、設置する場所の広さに応じるために少なくとも複数のユニット部とそれら複数のユニット部の両側に夫々壁部材を有するシェルターであって、前記複数のユニット部は、それら複数のユニット部のそれぞれの頂上である上部と、その上部を境に第１傾斜部と第２傾斜部を有し、前記第１傾斜部あるいは第２傾斜部のいずれか一方または双方に手掛かりとなる複数のホールドを有し、少なくとも一方の前記壁部材に出入り口となる開口部を有し、さらに、前記複数のユニット部のそれぞれの内部にフランジを有し、それらフランジ同士を接合し、前記複数のユニット部の頂上である上部の内部におけるそれぞれのフランジにそれぞれ支持部材を配置したことを特徴とするシェルター。
【請求項２】
側面視山形形状を呈しその内部に空所を有し、設置する場所の広さに応じるために少なくとも複数のユニット部とそれら複数のユニット部の両側に夫々壁部材を有するシェルターであって、前記複数のユニット部は、それら複数のユニット部のそれぞれの頂上である上部と、その上部を境に第１傾斜部と第２傾斜部を有し、前記第１傾斜部あるいは第２傾斜部のいずれか一方に、手掛かりとなる複数のホールドを有し、他方に滑り部を有し、少なくとも一方の前記壁部材に出入り口となる開口部を有し、さらに、前記複数のユニット部のそれぞれの内部にフランジを有し、それらフランジ同士を接合し、前記複数のユニット部の頂上である上部の内部におけるそれぞれのフランジにそれぞれ支持部材を配置したことを特徴とするシェルター。
【請求項３】
前記壁部材にフランジを有し、前記ユニット部におけるフランジと前記壁部材におけるフランジを接合したことを特徴とする請求項１または２記載のシェルター。
【請求項４】
前記複数のユニット部のフランジあるいは壁部材のフランジにカバー部材を配置したことを特徴とする請求項３記載のシェルター。
【発明の詳細な説明】
【技術分野】
【０００１】
本発明は、避難用シェルターに関するものである。
【背景技術】
【０００２】
地震等の災害から身を守るためにシェルターが利用されている。例えば建物の倒壊に備えるためのあらかじめ建物に組み込まれているもの、あるいは、災害時において落下物から身を守るために利用されるものである。
【０００３】
また、シェルターを使用する場合その予測ができないことから、あらかじめ設置する必要が有るものの、平時においては無用のものである。そこで、運搬、組立の容易化を図るとともに、地震発生時などの迅速な逃げ込みを可能にし、しかも、地震時などの倒壊物又は落下物の負荷に十分に耐え得るものとして、特開平９−８８３７３号公報に組立式シェルターが開示されている。
【０００４】
これは、固定台１と、その固定台の上に横転して固定された円筒体４とからなる。固定台の上面には、円筒体の互いに反対側において設けられ、円筒体の外側面に当接して固定する固定部材３を有する。円筒体は、円弧角がすべて等しい矩形湾曲板の直辺に外側に屈曲された結合縁を形成してなる複数枚の単位板体４０ａ、４０ｂ、４０ｃを、隣接する結合縁同士を平面において突き合わせ、かつ、締結部材により締結してなる。円筒体の内側底部に床部材６を固定して、その床部材の上面と円筒体の上部内壁面との間に退避空間７が形成することを特徴とする組立式耐震シェルターである。
【０００５】
しかしながら組み立て容易であるとしても、緊急時に即時使用できなければならないため、組み立て式では間に合わない恐れがある。また、その組立式耐震シェルターの部材をあらかじめ準備する必要があるもののその置場も問題となる。更に、あらかじめシェルターを組み立てておくために一定の広さの場所を確保する必要がある。
【先行技術文献】
【特許文献】
【０００６】
【特許文献１】特開平９−８８３７３号公報
【発明の概要】
【発明が解決しようとする課題】
【０００７】
本発明の課題は、緊急時において直ちに使用することができるとともに平時であっても有用なシェルターを提供することを目的とする。また、設置する場所の面積に応じて、その大きさを適宜選択することができるシェルターを提供することを目的とする。
【０００８】
上記目的に鑑み鋭意研究の結果、本発明者は、側面視山形形状を呈しその内部に空所を有する１または２以上のユニット部とその両側に夫々壁部材を有するシェルターであって、前記ユニット部は第１傾斜部と第２傾斜部を有し、前記第１傾斜部あるいは第２傾斜部のいずれか一方または双方に手掛かりとなる複数のホールドを有し、少なくとも一方の前記壁部材に出入り口となる開口部を有するという手段を講じたものである。
【０００９】
本発明は、１または２以上のユニット部を有するために、設置する面積に応じた大きさのシェルターを設置することができる。設置する面積に応じて１つのユニット部あるいは複数のユニット部を連接することが可能である。また、平時は、少なくとも第１傾斜部と第２傾斜部のいずれか一方あるいは双方に手掛かりとなる複数のホールドを有することから、遊具として使用することができるので、あらかじめ、上記シェルターを組み立ておいても無用となることがない。すなわち、第１傾斜部あるいは、第２傾斜部のいずれか一方あるいは双方にホールドを複数配置していることから、これを手がかりに第１傾斜部あるいは第２傾斜部または双方を登る、いわゆるクライミングが可能であり、特に幼児においては心身の発達に寄与することができるというものである。また、その遊具を使用していた場合において地震などの緊急時には直ちに上記シェルターとして使用することができるので、落下物から身を守ることができる。
【００１０】
また、本発明は、側面視山形形状を呈しその内部に空所を有する１または２以上のユニット部とその両側に夫々壁部材を有するシェルターであって、前記ユニット部は第１傾斜部と第２傾斜部を有し、前記第１傾斜部あるいは第２傾斜部のいずれか一方に、手掛かりとなる複数のホールドを有し、他方に滑り部を有し、少なくとも一方の前記壁部材に出入り口となる開口部を有するという手段を講じたものである。前記第１傾斜部と第２傾斜部のいずれか一方に手掛かりとなる複数のホールドを有し、他方に滑り部を有することで、ユニット部は滑り台としての機能を有するものであり、遊具としての好ましいものである。
【００１１】
また、本発明は、前記ユニット部にフランジを有し、かつ、前記壁部材にフランジを有し、前記ユニット部におけるフランジと前記壁部材におけるフランジを接合するという手段を講じたものである。ユニット部と壁部材にそれぞれフランジを有するために、一定の強度を有しつつ、組み立て容易なシェルターを提供することができる。
【００１２】
また、ユニット部のフランジあるいは壁部材のフランジにカバー部材を配置するという手段を講じたものである。
【００１３】
内部にむき出しとなったフランジから、シェルター内部に避難にした者を保護するために配置したものである。
【００１４】
また、ユニット部のフランジに支持部材を配置するという手段を講じたものである。支持部材を配置することにより、シェルターとしての強度を確保するものである。特にユニット部の頂上付近を支えるように配置するのが好ましい。
【発明の効果】
【００１５】
本発明は以上のように構成され、かつ、作用するものであり、緊急時において直ちに使用することができるとともに、滑り台やクライミングするための機能を有し平時においても有用なシェルターを提供することをできる。また、設置する面積に応じて、ユニット部の数量を適宜選択することができるシェルターを提供することをできる。
【図面の簡単な説明】
【００１６】
【図１】本発明に係るシェルターの斜視図
【図２】他の実施例に係るシェルターの斜視図
【図３】本発明に係るシェルターの分解斜視図
【図４】本発明に係るシェルターの正面図
【図５】本発明に係るシェルターの側面図
【図６】本発明に係るシェルターの平面図
【図７】図６のＡ−Ａ線端面図
【図８】図７の部分拡大端面図
【図９】図６のＢ−Ｂ線端面図
【図１０】図６のＣ−Ｃ線拡大部分断面図
【発明を実施するための形態】
【００１７】
本実施例におけるシェルター１０は、１以上のユニット部２０、２０′、２０″とその両側を挟み込むように配置された壁部材３０、３０′を有する。ユニット部２０は、側面視山形形状を呈し、内部に、空所２１を有するものである。前記空所２１は、ユニット部２０内において、非常時に逃げ込むことができるスペースを有するものである。また、一方に第１傾斜部２２を有し他方に第２傾斜部２３を有する滑り台としての機能を有するものである。また、第２傾斜部２３は、後述する複数のホールド２５を配置することで、クライミングとしての機能を有するものである。なお、ユニット部２０、２０′、２０″の相違は、後述する第２傾斜部２３におけるホールド２５の配置及びその数量の相違である。もっとも、それらは同一であってもよい。
【００１８】
前記第１傾斜部２２は、滑り台として滑降するための機能を有し、その表面は滑らかである滑り部を有し、その下部に立ち上がり部２４を有する。立ち上がり部２４は、滑り部としての第１傾斜部２２を滑り降りた場合に、足を付きやすくして、滑り終えた者が立ち上がりやすくするためのものである。また前記第１傾斜部２２は、その角度が水平に対し４５度以下であり、特に、３５度以下に構成することが好ましい。
【００１９】
また、前記第２傾斜部２３には複数のホールド２５、２５…を配置している。なお、ホールド２５は、第２傾斜部２３を上る際の手掛かりとなるものであり、第２傾斜部２３におけるホールド２５の取り付け位置に、ホールド孔２７を設け、その裏面を補強したうえでナット部２７ａを固定し、ボルトｂで固定することができる。なお図示しないがナット部２７ａに、緩み防止のためのキャップを配置することができる。また、このホールド２５の配置及び数量は任意であり、適宜選択することができる。なお、あらかじめ、ホールド孔２７およびナット部２７ａを配置して、必要に応じて、ホールド２５を取り付けることも可能である。
【００２０】
また上部２８は、ユニット部２０のほぼ頂上であり、これを境に第１傾斜部２２と第２傾斜部２３を設けており、上部２８の内部において、それぞれのユニット部２０、２０′におけるフランジ２６、２６に支持部材４０を取り付けることができる。これは、ユニット部２０を支えるものである。また、それ以外のフランジ２６、２６の接合部分にカバー部材５０を取り付けることができる（図７、図９参照）。
【００２１】
このように、本実施例では、前記第１傾斜部２２は、滑り台として滑降するための機能を有する滑らかな滑り部を有し、第２傾斜部２３は、複数のホールド２５を配置することで、ユニット部２０は、クライミングすることができる滑り台としての機能を有する。
【００２２】
壁部材３０は、開口部３２を有しており、シェルター１０として組み立てた場合に、出入り口となるものである。壁部材３０もほぼ側面視山形形状を呈し、ほぼユニット部２０に倣った形状を呈している。なお壁部材３０におけるほぼ中央に、柵部３１を有する。なお、壁部材３０と３０′は、鏡面対称である。従って、符号を付しその説明は省略する。もっとも、壁部材３０あるいは壁部材３０′のいずれかに開口部３２を構成することもできる。
【００２３】
柵部３１は、壁部材３０における頂点付近に配置され、転落防止のために設けられている。なお柵部３１は、壁部材３０の一体に成形したものである。なお、壁部材３０′における柵部３１についても同様である。
【００２４】
このような、１以上のユニット部２０と壁部材３０、３０′を組み合わせる。ユニット部２０の両側部にはフランジ２６、２６を有し、連結するためのボルト孔２６ａを複数配置している。同様に壁部材３０、３０′においてもフランジ３３を有し、連結するためのボルト孔３３ａを複数配置している。なお、図示しないが、フランジ２６とフランジ３３との接合部分に、支持部材４０を取り付けることができる。
【００２５】
また、フランジ２６とフランジ３３との接合部分の一部に支持部材４０を取り付けた場合は、それ以外のフランジ２６とフランジ３３との接合部分にカバー部材５０を取り付けることができる。なお、カバー部材５０は、断面コの字状を呈するものである。また、支持部材４０は、ユニット部２０及びユニット部２０′あるいはユニット部２０″における夫々のフランジ２６同士における複数ボルト孔２６ａ同士を接続するボルト３４及びナット３５と共締めすることによって配置することができる。フランジ２６とフランジ３３との接合部に支持部材４０を配置する場合も同様である。
【００２６】
本実施例の場合に、ユニット部２０、ユニット部２０′、ユニット部２０″を夫々のフランジ２６同士における複数ボルト孔２６ａ同士を、ボルト３４及びナット３５によって接続する。なお、ユニット部２０とユニット部２０′とユニット部２０″は、相違は、第２傾斜部におけるホールドの配置及びその数量の以外はほぼ同一のものであることは上述のとおりであり符号を付してその説明は省略する。
【００２７】
設置する場所に応じて、ユニット部２０のみを配置するか、ユニット部２０とユニット部２０′を配置するか、それ以上のユニット部２０、２０′、２０″を配置するかは、その設置する場所に応じて適宜変更することができる。本実施例では、ユニット部２０の空所２１を壁部材３０で、また、ユニット部２０″の空所２１を、壁部材３０′でふさぐように接続する。すなわち、壁部材３０、ユニット部２０、ユニット部２０′、ユニット部２０″、壁部材３０′の順に配置する。なお壁部材３０、ユニット部２０、ユニット部２０′、ユニット部２０″は、難燃性ＦＲＰで構成することが好ましい。
【００２８】
また、上述のとおりユニット部２０、ユニット部２０′における夫々のフランジ２６同士をボルト３４とナット３５で接合し、カバー部材５０で覆うことができるが、これは、シェルター１０を文字通り避難用シェルターとして使用する場合に、空所２１内に避難した者を保護するためである。このカバー部材５０は柔軟性を有する合成樹脂で構成することができる。なお、ユニット部２０′ユニット部２０″における夫々のフランジ２６についても同様である。
【００２９】
また、ユニット部２０のフランジ２６における複数ボルト孔２６ａと壁部材３０のフランジ３３における複数のボルト孔３３ａ同士をボルト３４とナット３５で接続し、カバー部材５０で覆うことも上述のとおりであり、カバー部材５０は、フランジ２６とフランジ３３のほぼ全体を覆うように構成することもできる。
【００３０】
このような構成の本実施例におけるシェルター１０は、平時においては滑り台としての機能を有するとともに、第２傾斜部２３におけるホールド２５に手をかけて、クライミングウォールのように登ることができる遊具として使用することができる。一方で非常時においては、シェルターとして機能を有することにより、平時において有効活用でき無用となることのない避難用シェルターを提供することができる。また、設置する場所に応じて、壁部材３０、ユニット部２０と壁部材３０′のみを配置することも可能であり、さらに、壁部材３０と、ユニット部２０′、ユニット部２０′、２０″…と連続して接続し、壁部材３０′を接続することで、設置する場所の広さに応じて、シェルターの規模を選択することができる。
【００３１】
他の実施例に係るシェルター１００においても、１以上のユニット部１２０、１２０′、１２０″とその両側を挟み込むように配置された壁部材３０、３０′を有する。シェルター１０におけるユニット部２０と他の実施例に係るシェルター１００におけるユニット部１２０の相違点は、第１傾斜部１２２に複数のホールド２５と複数のホールド孔２７を配置した点にある。また、ユニット部１２０、１２０′、１２０″のそれぞれの相違点は、第１傾斜部１２２における複数のホールド２５と複数のホールド孔２７の数量および配置をそれぞれ任意に変更した点にあるが同一であってもよい。また、第１傾斜部１２２における複数のホールド２５と複数のホールド孔２７は、前記第２傾斜部２３に複数のホールド２５、２５及び複数のホールド孔２７、２７を配置する場合と同様であるので説明を省略する。よって、上記のとおり前記第１傾斜部１２２または第２傾斜部２３の双方においても複数のホールド２５を配置することで、シェルター１００は、前記第１傾斜部１２２および第２傾斜部２３の双方ともにクライミングとしての機能を有するものである（図２参照）。なお、上部２８にホールド２５を配置しないことも可能である。
【符号の説明】
【００３２】
１０、１００、シェルター
２０、２０′、２０″、１２０、１２０′、１２０″、ユニット部
２１、空所
２２、１２２、第１傾斜部
２３、第２傾斜部
２４、立ち上がり部
２５、ホールド
２６、フランジ
２６ａ、ボルト孔
２７、ホールド孔
２７ａ、ナット部
２８、上部
３０、３０′、壁部材
３１、柵部
３２、開口部
３３、フランジ
３３ａ、ボルト孔
３４、ボルト
３５、ナット
４０、支持部材
５０、カバー部材
【図１】
0006355165.tif 000002
【図２】
0006355165.tif 000003
【図３】
0006355165.tif 000004
【図４】
0006355165.tif 000005
【図５】
0006355165.tif 000006
【図６】
0006355165.tif 000007
【図７】
0006355165.tif 000008
【図８】
0006355165.tif 000009
【図９】
0006355165.tif 000010
【図１０】
0006355165.tif 000011